(57)【要約】【課題】ランプオープン時に要求される高い出力電圧を提供してランプ駆動時に要求される規格を満たすことが可能な冷陰極蛍光ランプの駆動装置を提供する。【解決手段】ハーフブリッジ構造のスイッチング回路から成るインバータ３３を利用してランプ駆動電源を生成する冷陰極蛍光ランプ駆動装置において、ランプ３０がオープンにされた場合上記インバータ部３３のスイッチング駆動のための基準クロックを提供する発振部３１のチューニングキャパシタ電流を増減させ上記インバータのスイッチング速度の基準になるクロック周波数を高くし、これを通じてインバータ部のスイッチング速度を増加させ出力電圧を上昇させる。【選択図】図２
2007227332.tif 000002
【特許請求の範囲】
【請求項１】
チューニング抵抗とチューニングキャパシタによる周波数で発振し、上記チューニングキャパシタに流れる電流に比例して発振周波数が増加する発振部と、
上記発振部から出力された基準クロックに基づいて所定周期を有し、オン／オフデューティ割合が調節されたＰＷＭスイッチング制御信号を出力するＰＷＭ駆動部と、
上記ＰＷＭ駆動部から出力されたスイッチング制御信号に従って交互にスイッチング動作するハーフブリッジ構造のスイッチング素子を含んで、直流電源を所定周波数の交流電源に変換するインバータ部と、
上記インバータ部から出力される交流電源をランプ駆動電源に出力する共振回路部と、
上記ランプに流れる電圧をフィードバックしてランプのオープン可否を検出し、それに従って電流制御信号を出力するフィードバック回路部、及び
上記フィードバック回路部から印加された電流制御信号に従って、ランプオープン状態の場合には上記発振部のチューニングキャパシタ電流を増加させ、ランプがオープン状態ではない場合には上記発振部のチューニングキャパシタ電流を基準レベルに減少させる電流制御部と、
を含む冷陰極蛍光ランプの駆動装置。
【請求項２】
上記フィードバック回路部は
上記共振回路部からランプオープン検出電圧（ＯＬＰ）を感知し第１基準電圧を比較する第１比較器３５１と、
上記第１比較器３５１の比較結果と第３比較器３５８の比較結果を論理積するアンドゲート３５２と、
上記アンドゲート３５２の出力信号の反転値をリセット信号として入力受け動作し出力端（／Ｑ）に電流制御信号（ＦＣ）を出力するＲＳフリップフロップ３５３と、
ランプ３０の消灯検出電圧（ＯＶＰ）と第２基準電圧を比較する第２比較器３５４と、
上記第１比較器３５１の出力と第２比較器３５４の出力を論理和するオアゲート３５５と、
上記オアゲート３５５の出力によってオン／オフスイチングするスィッチ３５６と、
上記スィッチ３５６のオフの際にはキャパシタ（Ｃ）に電流を印加し、上記スィッチ３５６のオンの際にはスィッチ３５６を介して接地に電流を印加する電流源３５７と、
上記キャパシタ（Ｃ）と並列に連結されて、キャパシタ（Ｃ）の電圧を一定レベル以下に制限するツェナーダイオード（ＺＤ）と、
上記キャパシタ（Ｃ）の電圧を第３基準電圧と比較してその比較結果を上記アンドゲート３５２に印加する第３比較器３５８と、
を含むことを特徴とする請求項１に記載の冷陰極蛍光ランプの駆動装置。
【請求項３】
上記電流制御部は
それぞれ一定電流を提供する２つの電流源（Ｉ１、Ｉ２）と、
上記フィードバック回路部の電流制御信号（ＦＣ）に従ってオン／オフスイチングするスィッチ４１と、
スィッチ４１を介して電流源（Ｉ１）と連結され、電流源（Ｉ２）とは固定的に連結されて上記スィッチ４１のオン／オフに従って入力された電流の合計を上記発振部のチューニングキャパシタ電流に印加する電流ミラー４２と、
を含むことを特徴とする請求項１に記載の冷陰極蛍光ランプの駆動装置。
【請求項４】
上記電流制御部は
基準電圧（Ｖｒｅｆ）が入力されるバッファー３６１と、
エミッタ端が抵抗（ＲＴ）を介して接地され上記バッファー３６１の出力にベースが連結される第１トランジスタ（Ｑ１）と、上記第１トランジスタ（Ｑ１）のコレクタにそのベースコレクタが共通結合する第２トランジスタ（Ｑ２）と、上記第２トランジスタ（Ｑ２）のベース及びエミッタにそれぞれのベース及びエミッタが共通連結される第３、４トランジスタ（Ｑ３、Ｑ４）から成る電流リピータ３６２と、
上記第３トランジスタ（Ｑ３）のコレクタと接地との間にコレクタ−エミッタ結合し電流制御信号（ＦＣ）によってオン／オフ動作する第５トランジスタ（Ｑ５）と、
上記第３トランジスタ（Ｑ３）のコレクタにそのエミッタ及びベースが連結されコレクタ接地された第６トランジスタ（Ｑ６）と、上記第３トランジスタ（Ｑ３）のコレクタにそのベースが連結されコレクタ接地された第７トランジスタ（Ｑ７）から成る第１電流ミラー３６３と、
上記第４トランジスタ（Ｑ４）のコレクタに自己コレクタ及びベースが連結され、エミッタ接地された第８トランジスタ（Ｑ８）と、上記第４トランジスタ（Ｑ４）のコレクタに自己ベースが連結され、エミッタ接地された第９トランジスタ（Ｑ９）から成る第２電流ミラー３６４、及び
上記第７、９トランジスタ（Ｑ７、Ｑ９）のコレクタに自己コレクタ及びベースが共通連結される第１０トランジスタ（Ｑ１０）と上記第１０トランジスタ（Ｑ１０）と相互ベース及びエミッタ結合し、そのコレクタが発振部のチューニングキャパシタに連結される第１１トランジスタ（Ｑ１１）から成る第３電流ミラー３６５と、
を含むことを特徴とする請求項１に記載の冷陰極蛍光ランプの駆動装置。
【発明の詳細な説明】
【技術分野】
【０００１】
本発明は冷陰極蛍光ランプの駆動装置に関するものであって、さらに詳しくは初期オープンの際要求される高い出力電圧を提供してランプ駆動時の要求規格を満たすことが可能な冷陰極蛍光ランプの駆動装置に関するものである。
【背景技術】
【０００２】
冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）はガラス管の内壁に蛍光物質が塗布されており、管の両端に電極が取り付けられており、管内には数十トル（Ｔｏｒｒ）の混合ガスと定量の水銀が封入されているものであって、高輝度と高演色性、２．０Ｗ〜５．０Ｗの低消費全力、定格ランプ電流で１５，０００〜６０，０００ｈｒ程度の長寿命など多くの長所があることから、ＬＣＤバックライト（Ｂａｃｋ−ｌｉｇｈｔ）などの照明素子として有用に使用される。しかし、上記冷陰極蛍光ランプは電源が印加されていない状態の場合、大インピーダンス特性を有し、電源が印加されて一旦点灯になった後にはインピーダンスが小くなるので、冷陰極蛍光ランプの初期点灯の際要求される駆動電圧は略１３００Ｖ以上であり、一旦点灯になった後の駆動電圧は略８００Ｖ程度である。
【０００３】
従って、冷陰極蛍光ランプの駆動装置の出力電圧規格は初期点灯の際１３００Ｖ以上であり、さらにランプがオープンにされた状態の場合にも一定時間１３００Ｖ以上の高電圧を出力するよう規定されている。
【０００４】
図１は、従来の冷陰極蛍光ランプ駆動装置を示す回路図である。図１を参照すれば、冷陰極蛍光ランプ１０を点灯／消灯させる装置は、基準クロックを提供する発振部１１と、上記発振部１１から出力された基準クロックに基づいて一定周期のオン／オフデューティ割合（比）（ｄｕｔｙ  ｒａｔｅ）が可変されるＰＷＭスイッチング制御信号を生成して出力するＰＷＭ駆動部１２と、上記ＰＷＭ駆動部１２から出力されたスイッチング制御信号に従って交互にスイッチング動作するハーフブリッジ構造の２つのスイッチング素子（ＳＷ１、ＳＷ２）を具備して入力電源（Ｖｉｎ）を交流電源に変換するインバータ部１３と、上記インバータ部１３から出力される所定の周波数の交流電源をランプ１０に出力する共振回路部１４から成る。
【０００５】
上記インバータ部１３のスイッチング周期、即ち、出力される交流電源の周波数は上記ＰＷＭ制御部１２によって発振部１１で生成された基準クロックの１／２で固定され、但し上記ＰＷＭ制御部がＰＷＭ制御信号（ＶＰＷＭ）に従って上記基準クロックのオン／オフデューティ比を調整して、出力される駆動電圧及びランプ１０の明るさを調節する。この際、スイッチング信号でオン区間が大きいほどランプ１０に出力される電圧のレベルが高くなる。なお、分周及びＴｄ発生器１２１及び論理素子１２２乃至１２６は、後述する本発明に係る図２に示された分周及びＴｄ発生器３２１及び論理素子３２２乃至３２６に相当するので、ここでは説明を省略する。
【０００６】
この際、図１に示すように、ハーフブリッジ構造のインバータ部１３を使用するランプ駆動装置の場合、スイッチング制御信号の最大デューティ割合は５０％以下であるので、上述したパルス幅制御方式のみでは規格において要求される初期点灯電圧のみならず、ランプオープン時の出力電圧を満たすことができない。
【発明の開示】
【発明が解決しようとする課題】
【０００７】
本発明は上述した従来の問題点を解決するために提案されたものであって、初期点灯の際要求される高い出力電圧を提供してランプ駆動時の要求規格を満たせることが可能な冷陰極蛍光ランプの駆動装置を提供するものである。
【課題を解決するための手段】
【０００８】
上述した目的を達成するための構成手段として、本発明による冷陰極蛍光ランプの駆動装置は、チューニング抵抗とチューニングキャパシタによる周波数で発振し、上記チューニングキャパシタに流れる電流に比例して発振周波数が増加する発振部と、上記発振部から出力された基準クロックに基づいて所定周期を有し、オン／オフデューティ割合（比）が調節されたＰＷＭスイッチング制御信号を出力するＰＷＭ駆動部と、上記ＰＷＭ駆動部から出力されたスイッチング制御信号に従って交互にスイッチング動作するハーフブリッジ構造のスイッチング素子を含んで、直流電源を所定周波数の交流電源に変換するインバータ部と、上記インバータ部から出力される交流電源をランプ駆動電圧に出力する共振回路部と、上記ランプに流れる電圧をフィードバックしてランプの点灯オープン可否を検出し、それに従って電流制御信号を出力するフィードバック回路部、及び上記フィードバック回路部から印加された電流制御信号に従って、ランプオープン状態の場合には上記発振部のチューニングキャパシタ電流を増加させ、ランプがオープン状態ではない場合には上記発振部のチューニングキャパシタ電流を基準レベルに減少させる電流制御部と、を含むことを特徴とする。
【発明の効果】
【０００９】
本発明はランプがオープンされた場合に要求される冷陰極蛍光ランプの出力電圧規格を基準クロックの周波数制御を通じて簡単に満たせることが可能であり、その結果ランプを安定的に点灯させることが可能な優れた効果を奏する。
【発明を実施するための最良の形態】
【００１０】
以下、添付した図面を参照して本発明による冷陰極蛍光ランプの駆動装置の構成及び作用を説明する。
【００１１】
図２は、本発明による冷陰極蛍光ランプ駆動装置のブロック構成図である。
【００１２】
上記図２を参照すれば、本発明による冷陰極蛍光ランプの駆動装置は、チューニング抵抗とチューニングキャパシタによる周波数で発振し、上記チューニングキャパシタに流れる電流に比例して発振周波数が増加する発振部３１と、上記発振部３１から出力された基準クロックに基づいて所定周期を有し、オン／オフデューティ比が調節されたＰＷＭスイッチング制御信号を出力するＰＷＭ駆動部３２と、上記ＰＷＭ駆動部３２から出力されたスイッチング制御信号に従って交互にスイッチング動作するハーフブリッジ構造の複数のスイッチング素子（ＳＷ１、ＳＷ２）を含んで、直流電源を所定周波数の交流電源に変換するインバータ部３３と、上記インバータ部３３から出力される所定周波数の交流電源をランプ３０に提供する共振回路部３４と、上記ランプ３０に流れる電圧をフィードバックしてランプ３０のオープン可否を検出し、それによる電流制御信号（ＦＣ）を出力するフィードバック回路部３５と、上記フィードバック回路部３５から印加された電流制御信号（ＦＣ）に従って、ランプのオープン状態の場合には上記発振部３１のチューニングキャパシタに流れる電流を増加させ、ランプがオープン状態ではない場合には上記発振部３１のチューニングキャパシタ電流を基準レベルに減少させる電流制御部３６を含む。
【００１３】
発振部３１は一般的なＲＣ発振部として、発振部３１内に具備された共振回路のチューニング抵抗及びチューニングキャパシタによって決まり、その詳細な回路は一般的に知られているものなので、具体的な説明は省略する。このようなタイプの発振部３１において、発振周波数は共振回路のチューニングキャパシタに流れる電流に比例する。即ち、発振部３１のチューニングキャパシタ電流を可変させることによって、発振部３１の発振周波数が調整できる。
【００１４】
これに、本発明の冷陰極蛍光ランプの駆動装置は、上記発振部３１のチューニングキャパシタ電流を調整して、ランプのオープン状態の場合の基準クロックの周波数を上昇させることにより求められた出力電圧を具現することに特徴がある。即ち、基準クロックの周波数を上昇させインバータ部３３のスイッチング速度をより早くすることにより、出力電圧を上昇させるのである。
【００１５】
この際、ランプのオープン状態の検出及びそれによるチューニングキャパシタ電流の制御は上記フィードバック回路部３５及び電流制御部３６で行う。このようなフィードバック回路部３５及び電流制御部３６の構成及び作用は次にさらに具体的に説明する。
【００１６】
次いで、ＰＷＭ駆動部３２は上記発振部３１から出力された基準クロックを基準として一定周期のオン／オフデューティ割合（比）が調整されたＰＷＭスイッチング制御信号を発生させインバータ部３３に印加するものであって、分周及びＴｄ発生部３２１を介して上記発振部３１から出力されたクロックの周波数を１／２に分周した後、反転ゲートやアンドゲートなどの複数の論理素子（３２２〜３２６）を介してＰＷＭ制御信号（ＶＰＷＭ）と論理組み合わせて、オン／オフデューティ比が調節されたＰＷＭスイッチング制御信号を生成して、上記インバータ部３３に出力する。この際、上記ＰＷＭスイッチング制御信号はアンドゲート（３２５、３２６）の作用によって、正常状態の場合のみインバータ部３３に伝達され、ランプ３０に異常が発生した場合これを現す制御信号（Ｖｃ）が印加される場合には出力が停止させる。このようなＰＷＭ駆動部３２は一般的な構成であって、必要に応じて他の構造で具現されることも可能である。
【００１７】
インバータ部３３は直流入力電圧（Ｖｉｎ）を所定周波数の交流電圧に変換するものであって、本発明の冷陰極蛍光ランプの駆動装置において、インバータ３３のスイッチング回路はハーフブリッジ構造を有する。他のタイプのインバータを利用することもできるが、２−ステージタイプやフル‐ブリッジタイプから成る場合にはＰＷＭ制御のみに求められる電圧規格を満たすことができるので、本発明のような駆動装置を具現する必要はない。なお、共振回路部３４は、図１に示された従来例と同様に、トランスＴ、ダイオードＤ１、Ｄ２やキャパシタＣを備えて構成されている。
【００１８】
図３には、本発明による冷陰極蛍光ランプの駆動装置におけるフィードバック回路部３５の詳細回路図が示されており、これを参照すると、上記フィードバック回路部３５はランプオープン検出電圧（ＯＬＰ）Ｐ１と基準電圧（１．５Ｖ）を比較する第１比較器３５１と、上記第１比較器３５１の比較結果Ｐ２と第３比較器３５８の比較結果Ｐ３を論理積するアンドゲート３５２と、上記アンドゲート３５２の出力信号の反転値をリセット信号として入力に受けて動作し出力端（／Ｑ）に流制御信号ＦＣを出力するＲＳフリップフロップ３５３と、ランプ３０の消灯検出電圧（ＯＶＰ）と基準電圧（例えば、２．５Ｖ）を比較する第２比較器３５４と、上記第１比較器３５１の出力と第２比較器３５４の出力を論理和するオアゲート３５５と、上記オアゲート３５５の出力に従ってオン／オフスイッチングするスイッチ３５６と、上記スイッチ３５６のオフの際にはキャパシタ（Ｃ）に電流を印加し、上記スイッチ３５６のオンの際にはスイッチ３５６を介して接地に電流を印加する電流源３５７と、上記キャパシタ（Ｃ）と並列に連結されて、キャパシタ（Ｃ）の電圧を一定レベル（例えば、４．０Ｖ）以下に制限するツェナーダイオード（ＺＤ）と、上記キャパシタ（Ｃ）の電圧を基準電圧（例えば、３．０Ｖ）と比較してその比較結果Ｐ３を上記アンドゲート３５２に印加する第３比較器３５８から成る。前記出力端（／Ｑ）は、図３に示されたＲＳフリップフロップ３５３の一方出力Ｑに対して反転した他方出力端を表している。
【００１９】
上記において、ランプオープン検出電圧（ＯＬＰ）とランプ消灯検出電圧（ＯＶＰ）は上記共振回路部（３４）のランプ連結端子で感知されるものであって、ランプオープン検出電圧（ＯＬＰ）はランプがオープンされた場合に低値になり、ランプがオープンされていない場合に高値になり、消灯検出電圧（ＯＶＰ）はランプ３０の消灯時に低値になり、ランプ３０の点灯時に高値になるものにする。
【００２０】
上記において、第１比較器３５１はランプオープン検出電圧（ＯＬＰ）と基準電圧（１．５Ｖ）を比較してランプ３０のオープン可否を表す論理値を出力Ｐ２するが、ランプ３０がオープン状態の場合には高値を、ランプ３０がオープンされていない場合には低値を出力する。
【００２１】
さらに、第２比較器３５２は消灯検出電圧ＯＶＰを基準電圧２．５Ｖと比較して消灯可否を表す信号を出力するが、上記条件によってランプが消灯状態の場合低値を、ランプが点灯状態の場合に高値を出力する。
【００２２】
次いで、オアゲート３５５は上記第１比較器と第２比較器３５２の出力を論理和することで、ランプがオープン状態の場合に高値を出力して、スイッチ３５６をターンオンさせる。これに、電流源３５７の電流は接地にバイパスされ、これにキャパシタ（Ｃ）の電圧が低レベルになり、第３比較器３５８の出力Ｐ３も低値になる。
【００２３】
アンドゲート３５２は上記比較器３５１の出力Ｐ２と第３比較器３５８の出力Ｐ３の反転値を論理積することで、ランプ３０がオープンされる場合に高値を出力し、これはＳＲ（ＲＳ）フリップフロップ３５３のリセット端に反転入力される。従って、ＲＳフリップフロップ３５３の出力端（／Ｑ）に高レベルが出力され、これは反転出力されて、結局ランプ３０がオープンされる場合に低レベルの電流制御信号ＦＣが出力される。
【００２４】
オアゲート３５５の出力値は第２比較器３５４の出力値に従って、即ち、ランプ３０が点灯されたか、消灯されたかに従って低又は高値になり、スイッチ３５６をスイッチングさせる。
【００２５】
逆に、ランプ３０がオープン状態でない場合、第１比較器３５１は低値を出力するので、アンドゲート３５２は第３比較器３５８の出力値に関係なく低値を出力する。従って、ＲＳフリップフロップ３５３のリセット端（Ｒ）に高値が入力されて、高値の電流信号（ＦＣ）が出力される。
【００２６】
上記電流制御部３６はフィードバック回路部３５から発生した上記電流制御信号（ＦＣ）に従って発振部３１のチューニングキャパシタ電流（ＩＣＴ）を制御するものであって、図４は上記電流制御部３６の概略構成図である。
【００２７】
図４を参照すれば、電流制御部３６は夫々一定電流を提供する２つの電流源（Ｉ１、Ｉ２）と、上記フィードバック回路部３５の電流制御信号（ＦＣ）に従ってオン／オフスイッチングするスイッチ４１と、スイッチ４１を介して電流源（Ｉ１）と連結され、電流源（Ｉ２）とは固定的に連結されて上記スイッチ４１のオン／オフに従って入力された電流の合計を上記発振器３１のチューニングキャパシタ電流に印加する電流ミラー４２から成る。
【００２８】
即ち、上述したフィードバック回路部３５の作用によってランプ３０がオープンされて、低レベルの電流制御信号（ＦＣ）が印加されればスイッチ４１がオンになって、電流源（Ｉ１）を電流ミラー４２に入力させ、電流ミラー４２は固定的に入力された電流源（Ｉ２）の電流値と上記電流源（Ｉ２）の電流値の合計をチューニングキャパシタ電流（ＩＣＴ）に出力し、ランプ（３０）が正常的に連結されて高レベルの電流制御信号（ＦＣ）が印加されればスイッチ４１がオフされ、電流源（Ｉ１）を電流供給を遮断する。このために、電流ミラー４２は上記電流源（Ｉ２）で印加された電流のみをチューニングキャパシタ電流に出力する。
【００２９】
従って、ランプ３０がオープン状態の場合ランプ３０がオープンされない場合より多い電流（Ｉ１＋Ｉ２）が発振部３１のチューニングキャパシタ電流に印加され、このために発振部３１から出力される基準クロックの周波数値が上昇する。これは結局インバータ３３のスイッチング速度を増加させ出力電圧のレベルを上昇させる。
【００３０】
この際、ランプ３０がオープンされた場合の上記発振部３０の出力周波数は正常状態の場合の周波数を基準とした場合、略１．５倍増加すれば、冷陰極蛍光ランプ駆動装置に要求される電圧規格を満たすことが可能である。従って、上記電流制御部３６は発振部３１の周波数が１．５倍増加する程度にチューニングキャパシタ電流を調整するのが好ましく、この際チューニングキャパシタ電流量は上記電流源（Ｉ１）の電流値を調整することによって可能である。
【００３１】
図５は、本発明による冷陰極蛍光ランプの駆動装置において、上記電流制御部３６のさらに具体的な実施形態を示す詳細回路図である。
【００３２】
図５を参照すれば、上記電流制御部３６は基準電圧（Ｖｒｅｆ）が入力されるバッファー３６１と、エミッタ端が抵抗（ＲＴ）を介して接地され上記バッファー３６１の出力にベースが連結される第１トランジスタ（Ｑ１）と、上記第１トランジスタ（Ｑ１）のコレクタにそのベースコレクタが共通結合する第２トランジスタ（Ｑ２）と、上記第２トランジスタ（Ｑ２）のベース及びエミッタにそれぞれのベース及びエミッタが共通連結される第３、４トランジスタ（Ｑ３、Ｑ４）から成る電流リピータ３６２と、上記第３トランジスタ（Ｑ３）のコレクタと接地との間にコレクタ‐エミッタ結合し電流制御信号（Ｆｃ）によってオン／オフ動作する第５トランジスタ（Ｑ５）と、上記第３トランジスタ（Ｑ３）のコレクタにそのコレクタ及びベースが連結され、エミッタ接地された第６トランジスタ（Ｑ６）と、上記第３トランジスタ（Ｑ３）のコレクタにそのベースが連結されエミッタ接地された第７トランジスタ（Ｑ７）から成る第１電流ミラー３６３と、上記第４トランジスタ（Ｑ４）のコレクタに自己コレクタ及びベースが連結されエミッタ接地された第８トランジスタ（Ｑ８）と上記第４トランジスタ（Ｑ４）のコレクタに自己ベースが連結されエミッタ接地された第９トランジスタ（Ｑ９）から成る第２電流ミラー３６４と、上記第７、９トランジスタ（Ｑ７、Ｑ９）のコレクタに自己コレクタ及びベースが共通連結される第１０トランジスタ（Ｑ１０）と上記第１０トランジスタ（Ｑ１０）と相互ベース及びエミッタ結合し、そのコレクタが発振部３１のチューニングキャパシタ（図示せず）で連結される第１１トランジスタ（Ｑ１１）から成る第３電流ミラー３６５で構成される。
【００３３】
上記のように構成された電流制御部３６の動作を説明すると、まず上記基準電圧（Ｖｒｅｆ）と抵抗（ＲＴ）によって電流リピータ３６２の基準電流（ＩＲＥＦ）が決まり、上記基準電流（ＩＲＥＦ）は、次の数１式のように示される。
【数１】
2007227332.tif 000003
【００３４】
そこで、電流リピータ３６２の作用によって基準電流（ＩＲＥＦ）とほぼ等しい電流が第３トランジスタ（Ｑ３）及び第４トランジスタ（Ｑ４）のコレクタに流れるようになる。以下において、便宜上上記第３トランジスタ（Ｑ３）のコレクタ電流をスタート電流（Ｉｓｔａｒｔ）とし、第４トランジスタ（Ｑ４）のコレクタ電流をノーマル電流（Ｉｎｏｒｍａｌ）とする。
【００３５】
さらに、フィードバック回路部３５から電流制御信号（ＦＣ）に従って第１電流ミラー３６３の動作が決まる。即ち、ランプ３０がオープンされた場合フィードバック回路部３５から低レベルの電流制御信号（ＦＣ）が印加されれば、第５トランジスタ（Ｑ５）がオフされ、上記スタート電流（Ｉｓｔａｒｔ）は第１電流ミラー３６３の基準電流に入力され、上記第１電流ミラー３６３によって第３電流ミラー３６にミラーリングされる。逆に、ランプ３０がオープンされていない正常状態の場合、フィードバック回路部３５から高レベルの電流制御信号（ＦＣ）を入力受け、上記第５トランジスタ（Ｑ５）はターンオンされ上記第３トランジスタ（Ｑ３）のコレクタに流れるスタート電流（Ｉｓｔａｒｔ）を接地にバイパスさせる。従って、第１電流ミラー３６３は動作せず、その結果上記スタート電流（Ｉｓｔａｒｔ）は第３電流ミラー３６５にミラーリングされることができない。
【００３６】
この際、上記第２電流ミラー３６４は上記第４トランジスタ（Ｑ４）のコレクタに流れる電流（Ｉｎｏｒｍａｌ）を第３電流ミラー３６５の第１０トランジスタ（Ｑ１０）に印加する。
【００３７】
そして、上記第３電流ミラー３６５は第１０トランジスタ（Ｑ１０）に入力される電流をミラーリングして発振部３１のチューニングキャパシタ電流（ＩＣＴ）に印加する。
【００３８】
結果的に、上記第３電流ミラー３６５の出力電流はランプ３０がオープンされていない場合Ｉｃｔ＝Ｉｎｏｒｍａｌになり、ランプ３０がオープンされた場合Ｉｃｔ＝Ｉｎｏｒｍａｌ＋Ｉｓｔａｒｔになる。従って、上記図５に示す電流制御部３６は発振部３１のチューニングキャパシタ電流（ＩＣＴ）をランプがオープンされる場合、ランプがオープンされてない場合より高く調整することができ、その結果前述したように、ランプオープン時、インバーター部３３のスイッチング速度を増加させ出力レベルを規格レベル（約１３００Ｖ以上）まで上昇させることが可能である。
【００３９】
図６は本発明による冷陰極蛍光ランプの駆動装置のシミュレーション結果として、（ａ）はランプ３０がオープンされた場合共振回路部３４から出力される電流を示すものであって、（ｂ）はランプ３０がオープンされた場合共振回路部３４から出力される電圧を示したものである。この際、ランプオープン時の発振部３１の発振周波数が、ランプがオープンされていない場合より１．５倍高くなるように設定する。
【００４０】
上記図６のグラフを説明すると、オープン状態の場合、冷陰極蛍光ラップの駆動装置の出力電圧は略１．８６ｋＶまで増加し、標準規格（略１．３ｋＶ）を十分満たすことがが判る。
【図面の簡単な説明】
【００４１】
【図１】従来の冷陰極蛍光ランプの駆動装置を示す回路図である。
【図２】本発明による冷陰極蛍光ランプの駆動装置を示すブロック図である。
【図３】本発明による冷陰極蛍光ランプの駆動装置において、フィードバック回路部の詳細構成図である。
【図４】本発明による冷陰極蛍光ランプの駆動装置において、電流制御部の構成図である。
【図５】本発明による冷陰極蛍光ランプの駆動装置において、電流制御部の詳細回路図である。
【図６】本発明による冷陰極蛍光ランプの駆動装置のシミュレーション結果を示すグラフである。
【符号の説明】
【００４２】
３０      冷陰極蛍光ランプ            ３１    発振部
３２      ＰＷＭ駆動部                ３３    インバータ部
３４      共振回路部                  ３５    フィードバック回路部
３６      電流制御部
【図１】
2007227332.tif 000004
【図２】
2007227332.tif 000005
【図３】
2007227332.tif 000006
【図４】
2007227332.tif 000007
【図５】
2007227332.tif 000008
【図６】
2007227332.tif 000009